Podtech/llm-jp-corpus-v4-ja_patent huggingface dataset:
【手続補正書】
【提出日】平成24年2月28日(2012.2.28)
【手続補正１】
【補正対象書類名】特許請求の範囲
【補正対象項目名】全文
【補正方法】変更
【補正の内容】
【特許請求の範囲】
【請求項１】
所定条件の成立に基づいて遊技者に利益を付与すべきか否かの判定を行う当落判定手段と、該当落判定手段によって当選判定がなされたことに基づいて遊技者に利益を付与する利益付与状態に制御する利益付与状態制御手段と、遊技に伴う演出を行う演出手段と、前記当落判定手段の判定結果に基づいて前記演出手段による演出を制御する演出制御手段と、遊技者が操作可能な操作部を有する操作手段と、前記操作部の動きを検出する操作検出手段と、を備えた遊技機であって、
前記演出制御手段は、予め定めた有効期間内で前記操作検出手段により前記操作部の動きが検出されたことに基づいて、前記演出手段の演出内容に影響を与える操作演出を実行制御する操作演出制御手段を含み、
前記遊技機は、前記演出手段の演出内容に影響を与え得る前記操作部の動きを実演するように前記操作部を動作させる電気的駆動源と、
前記操作演出制御手段によって前記操作演出が実行制御される場合、当該操作演出が実行制御される以前に、前記電気的駆動源を駆動制御して前記演出手段の演出内容に影響を与え得る前記操作部の動きを実演することで、前記操作部の手動操作を遊技者に教示する操作実演制御手段と、を備えることを特徴とする遊技機。
【請求項２】
前記演出手段は、遊技に応じた演出表示を行う表示装置から構成されることを特徴とする請求項１記載の遊技機。
【請求項３】
前記表示装置は、前記当落判定手段の判定結果に基づいて図柄の変動表示を行って所定期間経過後に前記判定結果に応じた前記図柄の表示結果を停止表示することを特徴とする請求項２記載の遊技機。
【手続補正２】
【補正対象書類名】明細書
【補正対象項目名】０００５
【補正方法】変更
【補正の内容】
【０００５】
（解決手段１）
上記目的を達成するために、本発明の遊技機は、所定条件の成立に基づいて遊技者に利益を付与すべきか否かの判定を行う当落判定手段と、該当落判定手段によって当選判定がなされたことに基づいて遊技者に利益を付与する利益付与状態に制御する利益付与状態制御手段と、遊技に伴う演出を行う演出手段と、前記当落判定手段の判定結果に基づいて前記演出手段による演出を制御する演出制御手段と、遊技者が操作可能な操作部を有する操作手段と、前記操作部の動きを検出する操作検出手段と、を備えた遊技機であって、前記演出制御手段は、予め定めた有効期間内で前記操作検出手段により前記操作部の動きが検出されたことに基づいて、前記演出手段の演出内容に影響を与える操作演出を実行制御する操作演出制御手段を含み、前記遊技機は、前記演出手段の演出内容に影響を与え得る前記操作部の動きを実演するように前記操作部を動作させる電気的駆動源と、前記操作演出制御手段によって前記操作演出が実行制御される場合、当該操作演出が実行制御される以前に、前記電気的駆動源を駆動制御して前記演出手段の演出内容に影響を与え得る前記操作部の動きを実演することで、前記操作部の手動操作を遊技者に教示する操作実演制御手段と、を備えることを特徴とする。
この場合、演出手段で操作演出が実行される場合、当該操作演出が実行制御される以前に、電気的駆動源の駆動によって演出手段の演出内容に影響を与え得る操作部の動きを実演することで、操作手段の操作部の手動操作を遊技者に教示するようになっている。これにより、操作演出の実行時に操作部の操作方法を直接理解させることができるので、当該遊技機での遊技に対してまだ不慣れな遊技者に操作手段を設計者の想定通りに操作させることができる。
また、この構成によれば、演出手段の演出内容に影響を与え得る操作部の動きを実際に実演して遊技者に見せることができるので、単に表示装置の説明画面等で遊技者に操作部の手動操作を促すような構成に比べて、分かり易く且つ遊技者にインパクトを与えて操作部の手動操作を遊技者に教えることができる。
請求項２の発明においては、前記演出手段は、遊技に応じた演出表示を行う表示装置から構成されることを特徴とする。
請求項３の発明においては、前記表示装置は、前記当落判定手段の判定結果に基づいて図柄の変動表示を行って所定期間経過後に前記判定結果に応じた前記図柄の表示結果を停止表示することを特徴とする。
【手続補正書】
【提出日】平成24年2月28日(2012.2.28)
【手続補正１】
【補正対象書類名】特許請求の範囲
【補正対象項目名】全文
【補正方法】変更
【補正の内容】
【特許請求の範囲】
【請求項１】
所定条件の成立に基づいて遊技者に利益を付与すべきか否かの判定を行う当落判定手段と、該当落判定手段によって当選判定がなされたことに基づいて遊技者に利益を付与する利益付与状態に制御する利益付与状態制御手段と、遊技に伴う演出を行う演出手段と、前記当落判定手段の判定結果に基づいて前記演出手段による演出を制御する演出制御手段と、前記演出手段による所定の演出態様に応じて、電気的駆動源の駆動に基づき遊技者に視認可能に動作する可動体と、を備えた遊技機であって、
前記可動体は、前記電気的駆動源の駆動状態においても遊技者が指触可能に構成されると共に、当該可動体の動作を検知するための動作検出手段が設けられ、
前記演出制御手段は、前記動作検出手段による前記可動体の動作検出に応じて、前記演出手段の演出内容に影響を与える制御を行う動作検出演出制御手段を含み、
前記遊技機は、前記演出手段により所定の演出態様が実行されるときに、前記電気的駆動源を駆動制御して前記可動体を動作させることで、前記所定の演出態様が実行される旨を遊技者に予告する予告動作制御手段を備え、
該予告動作制御手段は、前記演出手段による所定の演出態様が第一の演出態様となる場合、遊技者が前記可動体を指触して当該可動体の動作を強制的に停止させると、これに伴って前記電気的駆動源の駆動を停止させる第一態様動作制御手段と、前記演出手段による所定の演出態様が第二の演出態様となる場合、遊技者が前記可動体を指触して当該可動体の動作を強制的に停止させても、前記電気的駆動源の駆動を停止することなく継続し遊技者に触感を与える第二態様動作制御手段と、を含むことを特徴とする遊技機。
【請求項２】
前記演出手段は、遊技に応じた演出表示を行う表示装置から構成されることを特徴とする請求項１記載の遊技機。
【請求項３】
前記表示装置は、前記当落判定手段の判定結果に基づいて図柄の変動表示を行って所定期間経過後に前記判定結果に応じた前記図柄の表示結果を停止表示することを特徴とする請求項２記載の遊技機。
【手続補正２】
【補正対象書類名】明細書
【補正対象項目名】０００５
【補正方法】変更
【補正の内容】
【０００５】
（解決手段１）
上記目的を達成するために、本発明の遊技機は、所定条件の成立に基づいて遊技者に利益を付与すべきか否かの判定を行う当落判定手段と、該当落判定手段によって当選判定がなされたことに基づいて遊技者に利益を付与する利益付与状態に制御する利益付与状態制御手段と、遊技に伴う演出を行う演出手段と、前記当落判定手段の判定結果に基づいて前記演出手段による演出を制御する演出制御手段と、前記演出手段による所定の演出態様に応じて、電気的駆動源の駆動に基づき遊技者に視認可能に動作する可動体と、を備えた遊技機であって、前記可動体は、前記電気的駆動源の駆動状態においても遊技者が指触可能に構成されると共に、当該可動体の動作を検知するための動作検出手段が設けられ、前記演出制御手段は、前記動作検出手段による前記可動体の動作検出に応じて、前記演出手段の演出内容に影響を与える制御を行う動作検出演出制御手段を含み、前記遊技機は、前記演出手段により所定の演出態様が実行されるときに、前記電気的駆動源を駆動制御して前記可動体を動作させることで、前記所定の演出態様が実行される旨を遊技者に予告する予告動作制御手段を備え、該予告動作制御手段は、前記演出手段による所定の演出態様が第一の演出態様となる場合、遊技者が前記可動体を指触して当該可動体の動作を強制的に停止させると、これに伴って前記電気的駆動源の駆動を停止させる第一態様動作制御手段と、前記演出手段による所定の演出態様が第二の演出態様となる場合、遊技者が前記可動体を指触して当該可動体の動作を強制的に停止させても、前記電気的駆動源の駆動を停止することなく継続し遊技者に触感を与える第二態様動作制御手段と、を含むことを特徴とする。
この場合、所定条件の成立に基づく当落判定手段の当落判定において当選判定がなされると、利益付与状態制御手段によって利益付与状態に制御して遊技者に利益を付与するという遊技内容にできる。また、このような遊技内容となる遊技機において、可動体の動作によって演出手段で所定の演出態様が実行される旨を遊技者に予告する。そして、このような可動体による予告動作としては、所定の演出態様が第一の演出態様となる場合では、遊技者が可動体を指触して当該可動体の動作を強制的に停止させると、これに伴って電気的駆動源の駆動を停止させる一方、所定の演出態様が第二の演出態様となる場合では、遊技者が可動体を指触して当該可動体の動作を強制的に停止させても、電気的駆動源の駆動を停止することなく継続し遊技者に触感を与える。このため、遊技者が可動体を指触することで、所定の演出態様が第一の演出態様となるのか又は第二の演出態様となるのかが分かる一方、この事実は指触した当該遊技者にしか分からないので、可動体を指触することに対する関心を高めることができると共に、可動体の予告動作における興趣の低下を抑制することができる。
また、この構成によれば、演出手段による所定の演出態様に応じて視認可能に動作する可動体が遊技者の指触可能に設けられるので、電気的駆動源の駆動に基づいた可動体の動きを遊技者自体が直接体感することができ、ひいては可動体の動きに対する興趣の低下を抑制することができる。また、指触可能な可動体の動きを動作検出手段で検出可能に設け、その動作検出手段による可動体の動作検出、言い換えれば遊技者の意思に基づいた可動体の指触操作に応じて、演出手段の演出内容に影響を与える制御を行うので、遊技機の動作に遊技者の意思が介入するという斬新な遊技性を生じさせることができる。
請求項２の発明においては、前記演出手段は、遊技に応じた演出表示を行う表示装置から構成されることを特徴とする。
請求項３の発明においては、前記表示装置は、前記当落判定手段の判定結果に基づいて図柄の変動表示を行って所定期間経過後に前記判定結果に応じた前記図柄の表示結果を停止表示することを特徴とする。
【手続補正書】
【提出日】平成24年4月24日(2012.4.24)
【手続補正１】
【補正対象書類名】特許請求の範囲
【補正対象項目名】全文
【補正方法】変更
【補正の内容】
【特許請求の範囲】
【請求項１】
発光体が設けられる遊技枠と、
前記遊技枠に着脱自在に取り付けられ、複数種類の識別情報を変動表示させて表示結果を導出表示させる変動表示装置が設けられる遊技盤と、
を備え、
遊技者にとって有利な有利状態に制御するための抽選に当選したことを前記変動表示装置に特定表示結果を導出させることにより報知する遊技機であって、
前記抽選の結果に応じて、前記変動表示の表示結果が導出されるまでに前記変動表示装置において行われる識別情報の変動表示の変動態様を選択する変動態様選択手段と、
前記変動態様選択手段により選択された変動態様に従って前記変動表示装置において識別情報を変動表示させ、前記抽選の結果に応じた表示結果を前記変動表示装置に導出させる変動表示演出を含む演出の実行を制御する演出制御手段と、
を有してなり、
前記演出制御手段は、
前記変動表示の変動態様として再変動態様が選択されたときに、識別情報の変動表示が開始されてから表示結果が導出されるまでに前記特定表示結果とは異なる非特定表示結果となる識別情報を仮停止させた後に、前記仮停止させた全ての識別情報を再度変動表示させる再変動表示を１回または複数回実行する再変動表示実行手段と、
前記変動表示の変動態様として前記再変動態様が選択されたときに、前記仮停止の後に識別情報が再度変動表示される可能性があることを前記仮停止の前に前記遊技者に報知する仮停止前再変動報知手段と、
前記抽選の結果に応じて前記特定表示結果が導出される可能性があることを報知する予告演出を実行する手段であって、前記予告演出の演出態様を複数種類の演出態様のうちから選択し、前記選択した演出態様で予告演出を実行する予告演出実行手段と、を備え、
前記予告演出実行手段は、前記変動表示の変動態様として前記再変動態様が選択されたときに、前記識別情報の変動表示の開始から初回の仮停止までの期間、及び１回実行される再変動表示中の期間または複数回実行される再変動表示中の各々の期間に前記予告演出を実行し、
前記変動態様選択手段は、前記再変動表示の回数がＭ（Ｍ：自然数）回である第１再変動態様を選択するときよりも前記再変動表示の回数がＮ（Ｎ：自然数，Ｎ＞Ｍ）回である第２再変動態様を選択するときの方が前記抽選に当選していることの期待度が高くなるように、前記再変動態様を選択し、
前記予告演出実行手段は、前記第１再変動態様が選択されたときと前記第２再変動態様が選択されたときとで異なる割合で、前記予告演出の演出態様を選択し、
前記仮停止前再変動報知手段は、前記発光体を発光させることにより報知する、
ことを特徴とする遊技機。
【請求項２】
遊技者が操作可能な操作手段が設けられる遊技枠と、
前記遊技枠に着脱自在に取り付けられ、複数種類の識別情報を変動表示させて表示結果を導出表示させる変動表示装置が設けられる遊技盤と、
を備え、
前記遊技者にとって有利な有利状態に制御するための抽選に当選したことを前記変動表示装置に特定表示結果を導出させることにより報知する遊技機であって、
前記抽選の結果に応じて、前記変動表示の表示結果が導出されるまでに前記変動表示装置において行われる識別情報の変動表示の変動態様を選択する変動態様選択手段と、
前記変動態様選択手段により選択された変動態様に従って前記変動表示装置において識別情報を変動表示させ、前記抽選の結果に応じた表示結果を前記変動表示装置に導出させる変動表示演出を含む演出の実行を制御する演出制御手段と、
を有してなり、
前記演出制御手段は、
前記変動表示の変動態様として再変動態様が選択されたときに、識別情報の変動表示が開始されてから表示結果が導出されるまでに前記特定表示結果とは異なる非特定表示結果となる識別情報を仮停止させた後に、前記仮停止させた全ての識別情報を再度変動表示させる再変動表示を１回または複数回実行する再変動表示実行手段と、
前記変動表示の変動態様として前記再変動態様が選択されたときに、前記仮停止の後に識別情報が再度変動表示される可能性があることを前記仮停止の前に前記遊技者に報知する仮停止前再変動報知手段と、
前記抽選の結果に応じて前記特定表示結果が導出される可能性があることを報知する予告演出を実行する手段であって、前記予告演出の演出態様を複数種類の演出態様のうちから選択し、前記選択した演出態様で予告演出を実行する予告演出実行手段と、を備え、
前記予告演出実行手段は、前記変動表示の変動態様として前記再変動態様が選択されたときに、前記識別情報の変動表示の開始から初回の仮停止までの期間、及び１回実行される再変動表示中の期間または複数回実行される再変動表示中の各々の期間に前記予告演出を実行し、
前記変動態様選択手段は、前記再変動表示の回数がＭ（Ｍ：自然数）回である第１再変動態様を選択するときよりも前記再変動表示の回数がＮ（Ｎ：自然数，Ｎ＞Ｍ）回である第２再変動態様を選択するときの方が前記抽選に当選していることの期待度が高くなるように、前記再変動態様を選択し、
前記予告演出実行手段は、前記第１再変動態様が選択されたときと前記第２再変動態様が選択されたときとで異なる割合で、前記予告演出の演出態様を選択し、
前記仮停止前再変動報知手段は、前記操作手段に対する前記遊技者の操作に応じて報知する、
ことを特徴とする遊技機。
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
超音波造影剤を投与した被検体の所定の部位に対して超音波プローブから送信した超音波の反射波を受信して超音波画像を生成する超音波診断装置であって、
前記所定の部位を流動する前記超音波造影剤を反射源とする第一の信号と、前記所定の部位に存在する組織を反射源とする第二の信号とを前記反射波から分離して取得する信号取得手段と、
前記信号取得手段によって取得された前記第一の信号を用いて、前記反射波受信時における前記超音波造影剤の分布が描出された第一の画像を生成し、前記信号取得手段によって取得された前記第二の信号を用いて、前記反射波の受信時における前記組織の分布が描出された第二の画像を生成する画像生成手段と、
前記画像生成手段によって生成された前記第一の画像および前記第二の画像を、所定の表示部にて並列表示するように制御する表示制御手段と、
を備え、
前記画像生成手段は、操作者が指定した指定期間において、前記第一の画像に対して前記超音波造影剤の分布が変化する様相を反映させる所定の処理を実行することにより第三の画像を生成し、
前記表示制御手段は、前記指定期間において、前記所定の表示部にて表示される画像を前記第二の画像から前記第三の画像に切り替えて表示するように制御するとともに、前記指定期間において順次生成された前記第一の画像を前記指定期間の前にて表示されていた同一位置にて表示するように制御することを特徴とする超音波診断装置。
【請求項２】
前記画像生成手段は、順次生成した前記第一の画像それぞれを構成する各画素において時間とともに変化する輝度の最大値を保持して画像を生成する最大値輝度保持処理を前記所定の処理として実行することにより前記第三の画像を生成することを特徴とする請求項１に記載の超音波診断装置。
【請求項３】
前記画像生成手段は、前記最大値輝度保持処理実行中において、輝度が所定の閾値を越えた画素を時間ごとに割り当てられた色調により描出することで前記第三の画像を生成することを特徴とする請求項２に記載の超音波診断装置。
【請求項４】
前記画像生成手段は、前記第一の画像における各画素の時間軸に沿った差分情報を算出する処理を前記所定の処理として実行することにより前記第三の画像を生成する処理であることを特徴とする請求項１に記載の超音波診断装置。
【請求項５】
前記画像生成手段は、前記指定期間において、前記第三の画像と前記第二の画像とを合成した合成画像をさらに生成し、
前記表示制御手段は、前記指定期間において、前記所定の表示部にて表示される画像を前記第二の画像から前記画像生成手段によって生成された前記合成画像に切り替えて表示するように制御することを特徴とする請求項１に記載の超音波診断装置。
【請求項６】
前記画像生成手段は、前記指定期間の前後において、前記第一の画像と前記第二の画像とを合成した第四の画像を生成し、
前記表示制御手段は、前記指定期間の前後において、前記画像生成手段によって生成された前記第一の画像および前記第四の画像を前記所定の表示部にて並列表示するように制御し、前記指定期間において、前記所定の表示部にて表示される画像を前記第四の画像から前記第三の画像に切り替えて表示するように制御することを特徴とする請求項１に記載の超音波診断装置。
【請求項７】
前記画像生成手段は、前記指定期間において、前記第一の画像にて順次検出した特徴点の移動情報に基づいて、前記第一の画像に対して順次動き補正を行なった動き補正済み第一の画像を生成したうえで、前記最大値輝度保持処理を実行して動き補正済み第三の画像を生成し、
前記表示制御手段は、前記指定期間において、前記動き補正済み第一の画像および前記動き補正済み第三の画像を前記所定の表示部にて並列表示するように制御することを特徴とする請求項２または３に記載の超音波診断装置。
【請求項８】
前記画像生成手段は、前記指定期間の前後においても、前記第一の画像にて順次検出した特徴点の移動情報に基づいて、前記第一の画像および前記第二の画像に対して順次動き補正を行なって動き補正済み第一の画像および動き補正済み第二の画像を生成し、
前記表示制御手段は、前記指定期間の前後において、前記動き補正済み第一の画像および前記動き補正済み第二の画像を前記所定の表示部にて並列表示するように制御することを特徴とする請求項７に記載の超音波診断装置。
【請求項９】
前記画像生成手段は、前記指定期間においても前記動き補正済み第二の画像を生成し、当該生成した動き補正済み第二の画像と前記動き補正済み第三の画像とを合成した動き補正済み合成画像を生成し、
前記表示制御手段は、前記指定期間において、前記動き補正済み第一の画像および前記動き補正済み合成画像を前記所定の表示部にて並列表示するように制御することを特徴とする請求項８に記載の超音波診断装置。
【請求項１０】
前記画像生成手段は、前記第三の画像に補正を施した画像と前記第二の画像とに基づいて、合成処理を行なうことを特徴とする請求項５または９に記載の超音波診断装置。
【手続補正２】
【補正対象書類名】明細書
【補正対象項目名】００１９
【補正方法】変更
【補正の内容】
【００１９】
上述した課題を解決し、目的を達成するために、請求項１記載の本発明は、超音波造影剤を投与した被検体の所定の部位に対して超音波プローブから送信した超音波の反射波を受信して超音波画像を生成する超音波診断装置であって、前記所定の部位を流動する前記超音波造影剤を反射源とする第一の信号と、前記所定の部位に存在する組織を反射源とする第二の信号とを前記反射波から分離して取得する信号取得手段と、前記信号取得手段によって取得された前記第一の信号を用いて、前記反射波受信時における前記超音波造影剤の分布が描出された第一の画像を生成し、前記信号取得手段によって取得された前記第二の信号を用いて、前記反射波の受信時における前記組織の分布が描出された第二の画像を生成する画像生成手段と、前記画像生成手段によって生成された前記第一の画像および前記第二の画像を、所定の表示部にて並列表示するように制御する表示制御手段と、を備え、前記画像生成手段は、操作者が指定した指定期間において、前記第一の画像に対して前記超音波造影剤の分布が変化する様相を反映させる所定の処理を実行することにより第三の画像を生成し、前記表示制御手段は、前記指定期間において、前記所定の表示部にて表示される画像を前記第二の画像から前記第三の画像に切り替えて表示するように制御するとともに、前記指定期間において順次生成された前記第一の画像を前記指定期間の前にて表示されていた同一位置にて表示するように制御することを特徴とする。
【手続補正書】
【提出日】平成24年6月21日(2012.6.21)
【手続補正１】
【補正対象書類名】特許請求の範囲
【補正対象項目名】全文
【補正方法】変更
【補正の内容】
【特許請求の範囲】
【請求項１】
被検眼を蛍光撮影する眼科撮影装置であって、
アラインメント指標光を投光する投光手段と、
前記被検眼で生じた蛍光および前記アラインメント指標光を透過するバリアフィルタと、
前記バリアフィルタを透過した光を複数の波長帯域に分光し、分光された光毎の電気信号を得る撮像素子と、を有し、
前記バリアフィルタの波長帯域は前記撮像素子の複数の分光帯域を含み、前記蛍光のピーク波長と前記アラインメント指標光のピーク波長とが異なる分光帯域に属することを特徴とする眼科撮影装置。
【請求項２】
前記バリアフィルタを透過し前記蛍光および前記アラインメント指標を受光し得られた画像信号から、前記アラインメント指標光の波長帯域のピークが含まれる分光帯域に基づき得られた画像信号を抑制した画像を生成する生成手段
をさらに有することを特徴とする請求項１に記載の眼科撮影装置。
【請求項３】
被検眼の眼底を白色光及び蛍光撮影のための励起光で照明する照明光学系と、
該照明光学系から光で照明された被検眼の所定部位を観察及び撮影する観察撮影光学系と、を有し、
前記バリアフィルタは該観察撮影光学系に挿脱自在に設けられ蛍光波長領域を透過すると共に前記励起光を遮り、
前記撮像素子は三色分解フィルタを有しカラー画像を出力し、
前記投光手段は、前記撮像素子により被検眼の所定部位の像と重ねて撮像されるアラインメント指標光を被検眼に投影し、
前記アラインメント指標光は前記バリアフィルタを透過すると共に前記蛍光波長領域とは異なる波長領域を含む光であり、前記三色分解フィルタの内の前記蛍光が最も透過する波長領域のフィルタとは別の波長領域を有するフィルタを透過可能である
ことを特徴とする請求項１に記載の眼科撮影装置。
【請求項４】
前記撮像素子は、前記バリアフィルタを前記観察撮影光学系から退避させた状態で撮影することによりカラー画像を出力し、挿入させた状態で撮影することにより蛍光画像を出力する
ことをさらに有することを特徴とする請求項３に記載の眼科撮影装置。
【請求項５】
前記生成手段は前記三色分解フィルタにより分解された色の内の少なくとも１つの色を除去して画像生成を行う
ことを特徴とする請求項３または４に記載の眼科撮影装置。
【請求項６】
前記撮像素子は赤色フィルタ、緑色フィルタ、青色フィルタの色分解フィルタを有する
ことを特徴とする請求項５に記載の眼科観察撮影装置。
【請求項７】
前記アラインメント指標光は前記撮像素子の前記赤色フィルタを透過し前記緑色フィルタはほぼ透過しない波長とし、
前記撮像素子は、前記撮像素子の各画素の全ての出力、又は前記緑色フィルタと前記赤色フィルタに対応する画素の出力を用いて蛍光画像を出力し、
前記生成手段は、緑色フィルタに対応する画素の出力、又は前記青色フィルタと前記緑色フィルタに対応する画素の出力を用いて診断用の蛍光画像を生成する
ことを特徴とする請求項６に記載の眼科撮影装置。
【請求項８】
前記撮像素子は動画と静止画の出力が可能な単板素子の各画素上に三色分解フィルタが設けられており、近接する各画素の値からＲＧＢ分解画像の仮想画素値を算出し、画像データを生成する
ことを特徴とする請求項７に記載の眼科撮影装置。
【請求項９】
被検眼を照明する光源と、
前記光源の光を被検眼に導く光路中に挿脱自在に配置されるエキサイタフィルタと、をさらに有し、
前記エキサイタフィルタを透過し被検眼に導かれる光の波長帯域と、前記被検眼で生ずる蛍光の波長帯域とが一部重複しており、かつ、前記エキサイタフィルタの波長帯域と前記バリアフィルタの波長帯域が重複しない
ことを特徴とする請求項１乃至８のいずれか１項に記載の眼科撮影装置。
【請求項１０】
撮影を開始するためのスイッチをさらに有する
ことを特徴とする請求項１乃至９のいずれか１項に記載の眼科撮影装置。
【請求項１１】
前記スイッチの押下に応じて前記バリアフィルタを前記被検眼からの光が前記撮像素子に入射する光路中に挿入する
ことを特徴とする請求項９に記載の眼科撮影装置。
【請求項１２】
前記スイッチの押下に応じて前記撮像素子により得られる動画像の記録を開始する記録手段をさらに有する
ことを特徴とする請求項１１に記載の眼科撮影装置。
【請求項１３】
前記蛍光撮影中に該蛍光撮影により得られた動画像上にアラインメント指標を表示する表示手段をさらに有する
ことを特徴とする請求項１乃至１２のいずれか１項に記載の眼科撮影装置。
【請求項１４】
前記生成手段により生成された画像を表示する前記表示手段をさらに有する
ことを特徴とする請求項２に記載の眼科撮影装置。
【手続補正２】
【補正対象書類名】明細書
【補正対象項目名】００１２
【補正方法】変更
【補正の内容】
【００１２】
そこで本発明の実施形態に係る眼科撮影装置は、被検眼を蛍光撮影する眼科撮影装置であって、アラインメント指標光を投光する投光手段と、前記被検眼で生じた蛍光および前記アラインメント指標光を透過するバリアフィルタと、前記バリアフィルタを透過した光を複数の波長帯域に分光し、分光された光毎の電気信号を得る撮像素子と、を有し、前記バリアフィルタの波長帯域は前記撮像素子の複数の分光帯域を含み、前記蛍光のピーク波長と前記アラインメント指標光のピーク波長とが異なる分光帯域に属することを特徴とする。
【手続補正書】
【提出日】平成24年4月27日(2012.4.27)
【手続補正１】
【補正対象書類名】明細書
【補正対象項目名】００２３
【補正方法】変更
【補正の内容】
【００２３】
また、撮影条件情報メモリ３４には、図３に記載の表のような撮影条件ＩＤと、撮影部位、撮影体位に最適な撮影条件が予め格納されている。撮影条件変更手段３８は、撮影条件情報メモリ３４から取得された撮影条件に基づいて、個々の被検体に応じた撮影条件にしてＸ線管２の制御手段に設定する。立臥位判別手段３０では、角度検出器２６により得られた角度情報が、図２に示すように、０°≦４５°の範囲、０°≧−４５°の範囲、１３５°≦１８０°の範囲、又は−１３５°≧−１８０°の範囲ならば立位、―４５°＞−１３５°の範囲ならば臥位の判定を行い、Ｘ線管２の立臥位を判別するようになっている。
【手続補正書】
【提出日】平成24年4月24日(2012.4.24)
【手続補正１】
【補正対象書類名】特許請求の範囲
【補正対象項目名】全文
【補正方法】変更
【補正の内容】
【特許請求の範囲】
【請求項１】
被検眼眼底に対して照明光を走査し、その反射光を受光することにより被検眼眼底を撮影しモニタに表示する眼底撮影装置において、
被検眼底を撮影する第１撮影ユニットであって，
被検眼眼底を照明するための照明光を出射する第１光源と前記照明光を被検眼眼底にて２次元的に走査するための走査部とを有し被検眼に照明光を照射する第１照明光学系と，
該第１照明光学系により被検眼眼底に照射された照明光の反射光を受光して第１眼底画像を得るための第１撮影光学系と，
前記被検眼からの反射光を受光して眼の波面収差を検出する波面センサと前記第１撮影光学系の光路に置かれ前記波面センサの検出結果に基づいて波面収差を補償する波面補償素子とを有する波面補償部と，
を備える第１撮影ユニットと、
前記第１照明光学系の走査部による走査範囲を包含する広い範囲の眼底画像を得る第２撮影ユニットであって，
被検眼眼底を照明する照明光を出射する第２光源を有し該照明光で被検眼眼底を照明する第２照明光学系と、被検眼眼底からの反射光を受光し第２眼底画像を得る第２撮影光学系と、を備え前記第１眼底画像に対して撮影画角が広く低倍率である第２眼底画像を得る第２撮影ユニットと、
前記第１撮影光学系又は前記第２撮影光学系による受光結果に基づいて得られる前記第１眼底画像及び第２眼底画像をモニタに表示する表示制御部であって，前記モニタに表示される前記第２眼底画像上に前記第１眼底画像の撮影位置を示す指標を表示する表示制御部と、
を備えることを特徴とする眼底撮影装置。
【請求項２】
請求項１の眼底撮影装置は、さらに前記被検眼眼底の所定部位を撮影し該所定部位の経時的な位置ずれを検出することにより移動位置情報を得るための位置検出部と、前記走査部よりも被検眼側の前記第１照明光学系の光路に置かれ前記走査部を介した前記照明光を所定の角度だけ偏向させる偏向部と、前記位置検出部にて得られた前記移動位置情報に基づいて前記偏向部を駆動制御する駆動制御部と、
を有することを特徴とする眼底撮影装置。
【請求項３】
請求項２の眼底撮影装置において、前記駆動制御部は前記位置ずれ情報に基づいて前記モニタに表示される前記指標の位置を変更することを特徴とする眼底撮影装置。
【請求項４】
請求項３の眼底撮影装置において、
前記第１撮影ユニットは、前記第１光源とは別に前記波面補償用の光束を出射させる第３の光源を有し、
前記波面補償部は、
被検眼眼底へと照射される前記第３光源から出射される光束を所定の偏光方向とする第１偏光手段と、
前記所定の偏光方向の光束を遮断し前記所定の偏光方向と直交する偏光方向の光束を前記波面センサへと導光する第２偏光手段と、
を備え、
前記波面補償素子は液晶空間位相変調器とされ、前記所定の偏光方億と直交する偏光方向の光束の波面収差を補正するように配置される
ことを特徴とする眼底撮影装置。
【請求項５】
請求項１〜４の何れかの眼底撮影装置は、さらに、
前記モニタに表示される前記指標の表示位置を移動させるコントロール部を備え、
前記表示制御部は、前記第１眼底像と前記第２眼底像を並べてモニタに表示することを特徴とする眼底撮影装置。
【手続補正２】
【補正対象書類名】明細書
【補正対象項目名】０００６
【補正方法】変更
【補正の内容】
【０００６】
上記課題を解決するために、本発明は以下のような構成を備えることを特徴とする。
（１）  被検眼眼底に対して照明光を走査し、その反射光を受光することにより被検眼眼底を撮影しモニタに表示する眼底撮影装置において、被検眼底を撮影する第１撮影ユニットであって，被検眼眼底を照明するための照明光を出射する第１光源と前記照明光を被検眼眼底にて２次元的に走査するための走査部とを有し被検眼に照明光を照射する第１照明光学系と，該第１照明光学系により被検眼眼底に照射された照明光の反射光を受光して第１眼底画像を得るための第１撮影光学系と，前記被検眼からの反射光を受光して眼の波面収差を検出する波面センサと前記第１撮影光学系の光路に置かれ前記波面センサの検出結果に基づいて波面収差を補償する波面補償素子とを有する波面補償部と，を備える第１撮影ユニットと、前記第１照明光学系の走査部による走査範囲を包含する広い範囲の眼底画像を得る第２撮影ユニットであって，被検眼眼底を照明する照明光を出射する第２光源を有し該照明光で被検眼眼底を照明する第２照明光学系と、被検眼眼底からの反射光を受光し第２眼底画像を得る第２撮影光学系と、を備え前記第１眼底画像に対して撮影画角が広く低倍率である第２眼底画像を得る第２撮影ユニットと、前記第１撮影光学系又は前記第２撮影光学系による受光結果に基づいて得られる前記第１眼底画像及び第２眼底画像をモニタに表示する表示制御部であって，前記モニタに表示される前記第２眼底画像上に前記第１眼底画像の撮影位置を示す指標を表示する表示制御部と、を備えることを特徴とする。
（２）  （１）の眼底撮影装置は、さらに前記被検眼眼底の所定部位を撮影し該所定部位の経時的な位置ずれを検出することにより移動位置情報を得るための位置検出部と、前記走査部よりも被検眼側の前記第１照明光学系の光路に置かれ前記走査部を介した前記照明光を所定の角度だけ偏向させる偏向部と、前記位置検出部にて得られた前記移動位置情報に基づいて前記偏向部を駆動制御する駆動制御部と、を有することを特徴とする。
（３）  （２）の眼底撮影装置において、前記駆動制御部は前記位置ずれ情報に基づいて前記モニタに表示される前記指標の位置を変更することを特徴とする。
（４）  （３）の眼底撮影装置において、前記第１撮影ユニットは、前記第１光源とは別に前記波面補償用の光束を出射させる第３の光源を有し、前記波面補償部は、被検眼眼底へと照射される前記第３光源から出射される光束を所定の偏光方向とする第１偏光手段と、前記所定の偏光方向の光束を遮断し前記所定の偏光方向と直交する偏光方向の光束を前記波面センサへと導光する第２偏光手段と、を備え、前記波面補償素子は液晶空間位相変調器とされ、前記所定の偏光方億と直交する偏光方向の光束の波面収差を補正するように配置されることを特徴とする。
（５）  （１）〜（４）の何れかの眼底撮影装置は、さらに、前記モニタに表示される前記指標の表示位置を移動させるコントロール部を備え、前記表示制御部は、前記第１眼底像と前記第２眼底像を並べてモニタに表示することを特徴とする眼底撮影装置。
【手続補正書】
【提出日】平成24年2月21日(2012.2.21)
【手続補正１】
【補正対象書類名】特許請求の範囲
【補正対象項目名】全文
【補正方法】変更
【補正の内容】
【特許請求の範囲】
【請求項１】
昇圧クロック信号を用いて供給電圧を昇圧して昇圧出力電圧を生成するチャージポンプ回路と、
前記チャージポンプ回路を制御する制御回路部
とを備え、
前記チャージポンプ回路は、複数の昇圧キャパシタと前記供給電圧を前記昇圧キャパシタに供給するための充電用スイッチとを備えると共に、前記複数の昇圧キャパシタの接続関係の切り替えによって昇圧倍率が変更可能に構成され、
前記制御回路部は、前記チャージポンプ回路の昇圧倍率を切り替える制御を行うと共に、前記充電用スイッチを前記昇圧クロック信号に同期してオンオフする第１動作と前記昇圧クロック信号に無関係にオフする第２動作とを、前記複数の昇圧キャパシタのうち充電されている充電中昇圧キャパシタの電圧と前記供給電圧の和に対応して生成される和対応電圧に応答して選択的に行うように構成され、
前記制御回路部は、前記チャージポンプ回路の昇圧倍率を第１倍率から前記第１倍率より低い第２倍率に切り替える際、前記充電用スイッチを前記第１動作と前記第２動作との間で切り替える前記和対応電圧の基準値を前記第１倍率に対応して決定される第１値から前記第２倍率に対応して決定される第２値に切り替えた後、前記チャージポンプ回路の前記複数の昇圧キャパシタの接続関係を切り替える
昇圧回路。
【手続補正２】
【補正対象書類名】明細書
【補正対象項目名】発明の名称
【補正方法】変更
【補正の内容】
【発明の名称】昇圧回路
【手続補正書】
【提出日】平成23年12月2日(2011.12.2)
【手続補正１】
【補正対象書類名】明細書
【補正対象項目名】００２０
【補正方法】変更
【補正の内容】
【００２０】
図４において、取付板１５は凸形の背面配置用フレーム（第２支持フレーム）１３の一方に軸体１６などで回転可能に軸支されている。制御用の補助機器８は回転可能な取付板１５に搭載されて固定されている。こうして制御用の補助機器８はマルチリレー６の背面に回転可能な可動式の取付板１５に取り付け配置される。なお図示していないが、取付板１５の可動側とは反対側の自由端には取付板１５と背面配置用フレーム（第２支持フレーム）１３とを係脱自在に固定する留め具が設けられる。
図４のように取付板１５を回転可能に可動とすることで、マルチリレー６の背面に制御用の補助機器８を配置した構成でも、マルチリレー６の結線作業を行なうときには、制御用の補助機器８を取付板１５に取り付けた状態で開閉できるので、マルチリレー６と制御用の補助機器８とを接続している制御用配線７を外すことなく、マルチリレー６と計器用変流器４の二次端子とが接続される配線１０およびマルチリレー６と計器用変圧器５の二次端子とが接続される配線１１の作業空間を確保することができる。 
【手続補正２】
【補正対象書類名】明細書
【補正対象項目名】００２１
【補正方法】変更
【補正の内容】
【００２１】
図４ではマルチリレー６と計器用変流器４の二次端子とが接続される配線１０およびマルチリレー６と計器用変圧器５の二次端子とが接続される配線１１の接続をマルチリレー６の下側で行ったときに、マルチリレー６と補助機器８とを接続する制御用配線７の取り合いはマルチリレー６および補助機器８の左側で行なっている。このような構成の場合には、図４に示すように左側の凸形の背面配置用フレーム（第２支持フレーム）１３と取付板１５の左側で可動部を設け、垂直方向を軸にした構成とする。しかし、制御用配線７のマルチリレー６との取り合い位置がマルチリレー６および補助機器８の上側にある場合は、可動部は水平方向を軸にした構成であっても良い。 
【手続補正３】
【補正対象書類名】明細書
【補正対象項目名】００２３
【補正方法】変更
【補正の内容】
【００２３】
図５において、背面配置用フレーム（第２支持フレーム）１３ａは、上下２本の器具取り付けフレーム（第１支持フレーム）１２にネジなどの締結部１４によってそれぞれ上下に固定されたＬ型の背面配置用フレームとし、このＬ型の背面配置用フレーム（第２支持フレーム）１３ａの背面部には長孔１３ｂが水平方向に設けられている。そして取付板１５が長孔１３ｂに沿って可動可能にスライドするようになっている。制御用の補助機器８はスライド可能な取付板１５に搭載されて固定されている。こうして制御用の補助機器８はマルチリレー６の背面に可動式の取付板１５に取り付け配置される。
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
入力電圧を昇圧または降圧して出力する直流変換部と、前記直流変換部の出力電圧をパルス幅変調信号によって制御する制御部とを備え、
前記直流変換部は、前記出力電圧をモニタする電圧検出回路を備え、
前記制御部は、
前記電圧検出回路の電圧モニタ値をサンプリングするＡ／Ｄ変換器と、
前記Ａ／Ｄ変換器のサンプリング開始を示すＡ／Ｄ変換同期信号によって一方のエッジの位置を制御し、前記電圧モニタ値に基づいて他方のエッジの位置を制御した前記パルス幅変調信号を生成するパルス発振器と、
を備えることを特徴とする電源制御装置。
【手続補正２】
【補正対象書類名】明細書
【補正対象項目名】発明の名称
【補正方法】変更
【補正の内容】
【発明の名称】電源制御装置
【手続補正３】
【補正対象書類名】明細書
【補正対象項目名】００６９
【補正方法】変更
【補正の内容】
【００６９】
（３）第３の効果として、複数系統の電源の制御を行う場合、各電源の同時動作を防止することで制御部の最大消費電流を小さくすることができる。その理由としては、１つのＡ／Ｄ変換同期信号で複数系統の電源に対して、Ａ／Ｄ変換器のサンプリングタイミングをずらして同時に行わない排他制御が可能であるからである。
なお、本発明において、さらに下記の形態が可能である。
［形態１］
上記１つのアスペクト（側面）に係る電源制御装置のとおりである。
［形態２］
前記パルス発振器は、
前記電圧モニタ値に基づいて前記パルス幅変調信号のデューティ比を算出する制御演算器と、
前記Ａ／Ｄ変換同期信号がアクティブになることで一方のエッジの位置を制御し、前記制御演算器で算出したデューティ比に基づいて他方のエッジの位置を制御した前記パルス幅変調信号を出力する出力回路と、
を備えることを特徴とする形態１記載の電源制御装置。
［形態３］
前記直流変換部を複数備え、
前記制御部は、前記Ａ／Ｄ変換器のサンプリング開始を示す前記Ａ／Ｄ変換同期信号の位置をそれぞれの前記直流変換部に対応して異ならせ、
前記Ａ／Ｄ変換器は、それぞれの前記直流変換部における前記電圧検出回路の電圧モニタ値をサンプリングし、
前記パルス発振器は、それぞれの前記直流変換部に対するそれぞれの前記パルス幅変調信号の一方および他方のエッジの位置を制御してそれぞれの前記パルス幅変調信号を生成することを特徴とする形態１記載の電源制御装置。
［形態４］
前記直流変換部を２個備え、
前記制御部は、前記Ａ／Ｄ変換器のサンプリング開始を示す前記Ａ／Ｄ変換同期信号における一方のエッジを一方の前記直流変換部に対応させ、他方のエッジを他方の前記直流変換部に対応させ、前記Ａ／Ｄ変換器のサンプリングをそれぞれ開始させることを特徴とする形態１または３記載の電源制御装置。
［形態５］
上記他のアスペクト（側面）に係る電源制御方法のとおりである。
【手続補正書】
【提出日】平成24年3月23日(2012.3.23)
【手続補正１】
【補正対象書類名】明細書
【補正対象項目名】００３６
【補正方法】変更
【補正の内容】
【００３６】
しかるに、このようなモータ本体部３０のハウジング３１の配置及び構成とすることにより、ハウジング３１に内包された制御基板２８、ステータアセンブリ２２が発熱してもハウジング３１のハウジング本体３１の外面(特にその側方外面)が送風路４０に表出しているため、これらの制御基板２８やステータアセンブリ２２から生ずる熱が熱伝導性の高いハウジング３１に伝達され、更に、ハウジング３１のハウジング本体３１ａの外面から放熱することができるので、ヒートシンク等の放熱装置を用いなくても簡易な構造で駆動モータ３の放熱が可能となる。これに伴い、部品点数の削減による送風ユニット１の相対的な製造コストの削減、駆動モータ３ひいては送風ユニット１の更なる小型化を図ることができる。
【手続補正書】
【提出日】平成24年7月19日(2012.7.19)
【手続補正１】
【補正対象書類名】特許請求の範囲
【補正対象項目名】全文
【補正方法】変更
【補正の内容】
【特許請求の範囲】
【請求項１】
始動領域を遊技媒体が通過したことに基づく変動表示の実行条件が成立した後、変動表示の開始を許容する開始条件が成立したことに基づいて、識別情報の変動表示を実行し表示結果を導出表示する変動表示部を備え、該変動表示部に導出表示された表示結果が予め定められた特定表示結果となったときに、遊技状態を遊技者にとって有利な特定遊技状態に制御し、予め定められた特別状態発生条件が成立したことに基づいて通常状態としての低確率状態よりも変動表示の表示結果が前記特定表示結果となる確率が向上した高確率状態に制御する遊技機であって、
遊技媒体が前記始動領域を通過しやすい第１状態と該第１状態よりも遊技媒体が通過しにくいまたは通過しない第２状態とに変化可能な可変入賞装置と、
遊技媒体が入賞可能な第１の状態と該第１の状態よりも遊技媒体が入賞しにくいまたは入賞しない第２の状態とに変化可能であり、前記特定遊技状態に制御されたときに当該第１の状態に制御される特別可変入賞装置と、
前記変動表示部における識別情報の変動表示に対応した演出を実行する演出表示装置と、
前記変動表示部における識別情報の変動表示に同期して、特定識別情報を変動表示する特定変動表示部と、
遊技の進行を制御し、コマンドを送信する遊技制御手段と、
該遊技制御手段が送信した前記コマンドに基づいて、識別情報の変動表示に対応した演出の実行を制御する演出制御手段とを備え、
前記特定遊技状態は、
前記特別可変入賞装置を所定期間前記第１の状態に変化させることにより終了し、前記特定遊技状態終了後、前記高確率状態に制御される第１特定遊技状態と、
前記特別可変入賞装置を前記所定期間よりも短い期間前記第１の状態に変化させることにより終了し、前記特定遊技状態終了後、前記高確率状態に制御される第２特定遊技状態とを含み、
前記遊技制御手段は、
前記開始条件が成立したことに基づいて、前記特定遊技状態に制御するか否かを決定するとともに、前記高確率状態に制御するか否かを決定する事前決定手段と、
該事前決定手段による決定に応じて、前記変動表示部における識別情報の変動表示を開始してから表示結果を導出表示するまでの変動表示時間を決定する変動表示時間決定手段と、
識別情報の変動表示を開始するときに、識別情報の変動表示を開始することを示す開始時コマンドを送信する開始時コマンド送信手段と、
前記変動表示時間決定手段により決定された変動表示時間が経過したことに基づいて、識別情報の停止を示す停止コマンドを送信する停止コマンド送信手段と、
前記可変入賞装置が前記第１状態になる頻度が高い高頻度状態、または、該高頻度状態よりも前記可変入賞装置が前記第１状態になる頻度が低い低頻度状態のいずれかに制御する状態制御手段とを含み、
該状態制御手段は、前記低頻度状態かつ前記高確率状態に制御されているときの方が、前記低頻度状態かつ前記低確率状態に制御されているときよりも高い割合で、前記第２特定遊技状態終了後に前記高頻度状態に制御し、
前記演出制御手段は、
前記演出表示装置において識別情報の変動表示に対応した演出を実行させる制御を行なう演出実行制御手段と、
前記特定変動表示部において特定識別情報の変動表示を実行させる制御を行なう特定変動表示実行制御手段とを含み、
前記演出実行制御手段は、
前記開始時コマンドに基づいて、前記演出表示装置において識別情報の変動表示に対
応した演出を開始させる制御を行なう演出開始制御手段と、
前記開始時コマンドにより特定される前記変動表示時間決定手段により決定された変動表示時間が経過したことに基づいて、前記演出表示装置において識別情報の変動表示に対応した演出を停止させる制御を行なう演出停止制御手段とを含み、
前記特定変動表示実行制御手段は、
前記開始時コマンドに基づいて、前記特定変動表示部において特定識別情報の変動表示を開始させる制御を行なう特定変動表示開始制御手段と、
前記停止コマンドに基づいて、前記特定変動表示部において特定識別情報の変動表示を停止させる制御を行なう特定変動表示停止制御手段とを含むことを特徴とする、遊技機。
【手続補正書】
【提出日】平成24年2月21日(2012.2.21)
【手続補正１】
【補正対象書類名】明細書
【補正対象項目名】０００６
【補正方法】変更
【補正の内容】
【０００６】
ところで、特許文献１に開示されたような遊技機においては、その時その時の遊技者の状態によっては、操作部材が必ずしも操作し易い位置に無く、演出装置に所定の演出を行わせるための操作が行いにくい場合があったため、操作部材を操作させることで積極的に遊技に参加させようとする意図が薄れてしまうという問題がある。
【手続補正２】
【補正対象書類名】明細書
【補正対象項目名】０００７
【補正方法】変更
【補正の内容】
【０００７】
そこで、本発明は上記した問題点に鑑みてなされたものであり、演出装置に所定の演出を行わせるための操作を行い易くすることで、遊技に対する遊技者の積極的な参加を図ることができる遊技機を提供することを目的とする。
【手続補正３】
【補正対象書類名】明細書
【補正対象項目名】０００８
【補正方法】変更
【補正の内容】
【０００８】
以上の課題を解決するため、請求項１に記載の発明は、
遊技の進行過程に応じた所定の遊技演出を実行する演出装置を備えた遊技機において、当該遊技機前面側に設けられ、常態である非操作状態と操作が行われた操作状態とに変換可能な第１操作部材と、当該遊技機前面側であって前記第１操作部材とは異なる箇所に設けられ、常態である非操作状態と操作が行われた操作状態とに変換可能な第２操作部材と、所定の有効期間中に前記第１操作部材が前記操作状態に変換されたことに基づき、前記演出装置に所定の演出を行わせる演出制御手段と、前記第２操作部材が操作されたことに基づいて、前記第１操作部材を前記非操作状態から前記操作状態に変換させることが可能な変換手段と、を備えたことを特徴としている。
【手続補正４】
【補正対象書類名】明細書
【補正対象項目名】０００９
【補正方法】変更
【補正の内容】
【０００９】
請求項１に記載の発明によれば、第２操作部材が操作されたことに基づいて、第１操作部材を非操作状態から操作状態に変換させることが可能な変換手段が備えられている。即ち、第１操作部材の操作が有効となる所定の有効期間中に第２操作部材が操作されることで、演出装置にて所定の演出が行われる。
【手続補正５】
【補正対象書類名】明細書
【補正対象項目名】００１０
【補正方法】変更
【補正の内容】
【００１０】
つまり、所定の有効期間中に、第１、第２操作部材のうち、その時の遊技者にとって操作し易い箇所にある操作部材を操作することで所定の演出が行われるようになる。従って、演出装置に所定の演出を行わせるための操作をより容易に行うことができ、積極的な遊技への参加を図ることができる。
【手続補正６】
【補正対象書類名】明細書
【補正対象項目名】００１１
【補正方法】変更
【補正の内容】
【００１１】
請求項２に記載の発明は、請求項１に記載の遊技機において、
遊技盤の遊技領域に遊技球を発射する発射装置と、前記発射装置を作動させるために遊技者の一の手により操作される発射操作部と、を備え、前記第２操作部材は、前記発射操作部に設けられ、当該発射操作部を操作している遊技者の前記一の手により操作されるものであり、前記変換手段は、前記第１操作部材を前記非操作状態から前記操作状態に電気的に駆動することが可能な変換駆動部と、前記第２操作部材が操作されたことに基づいて、前記第１操作部材が前記操作状態となるように前記変換駆動部の駆動を制御する駆動制御手段と、を備えることを特徴としている。
【手続補正７】
【補正対象書類名】明細書
【補正対象項目名】００１２
【補正方法】変更
【補正の内容】
【００１２】
請求項２に記載の発明によれば、請求項１に記載の発明と同様の効果が得られるのは無論のこと、遊技の際に遊技者が一方の手で発射操作部を操作した状態であっても、他方の手で第１操作部材を操作する必要がなくなって、第１操作部材の操作状態への変換をより容易に行うことができる。また、発射操作部を操作する一方の手で第１操作部材を操作状態に変換させる第２操作部材の操作を簡便に行うことができることから、他方の手による第１操作部材を操作するという動作自体が面倒なために当該第１操作部材を操作しない遊技者や第１操作部材の操作が人目を引いてしまうことを気にして当該第１操作部材を操作しない遊技者であっても積極的な遊技への参加を図ることができる。
さらに、第２操作部材が操作されたことに基づいて、第１操作部材が前記操作状態となるように前記変換駆動部の駆動を制御する駆動制御手段が備えられているので、第２操作部材が操作されたことに基づいて、変換駆動部が駆動することで第１操作部材を非操作状態から操作状態に変換させることができ、これにより、演出装置にて所定の演出を行うことができる。
【手続補正８】
【補正対象書類名】明細書
【補正対象項目名】００２１
【補正方法】変更
【補正の内容】
【００２１】
本発明によれば、第１操作部材の操作が有効となる所定の有効期間中に第２操作部材が操作されることで、演出装置にて所定の演出が行われる。従って、演出装置に所定の演出を行わせるための操作をより容易に行うことができ、積極的な遊技への参加を図ることができる。
【手続補正９】
【補正対象書類名】特許請求の範囲
【補正対象項目名】請求項１
【補正方法】変更
【補正の内容】
【請求項１】
遊技の進行過程に応じた所定の遊技演出を実行する演出装置を備えた遊技機において、
当該遊技機前面側に設けられ、常態である非操作状態と操作が行われた操作状態とに変換可能な第１操作部材と、
当該遊技機前面側であって前記第１操作部材とは異なる箇所に設けられ、常態である非操作状態と操作が行われた操作状態とに変換可能な第２操作部材と、
所定の有効期間中に前記第１操作部材が前記操作状態に変換されたことに基づき、前記演出装置に所定の演出を行わせる演出制御手段と、
前記第２操作部材が操作されたことに基づいて、前記第１操作部材を前記非操作状態から前記操作状態に変換させることが可能な変換手段と、
を備えたことを特徴とする遊技機。
【手続補正１０】
【補正対象書類名】特許請求の範囲
【補正対象項目名】請求項２
【補正方法】変更
【補正の内容】
【請求項２】
遊技盤の遊技領域に遊技球を発射する発射装置と、
前記発射装置を作動させるために遊技者の一の手により操作される発射操作部と、を備え、
前記第２操作部材は、前記発射操作部に設けられ、当該発射操作部を操作している遊技者の前記一の手により操作されるものであり、
前記変換手段は、
前記第１操作部材を前記非操作状態から前記操作状態に電気的に駆動することが可能な変換駆動部と、
前記第２操作部材が操作されたことに基づいて、前記第１操作部材が前記操作状態となるように前記変換駆動部の駆動を制御する駆動制御手段と、を備えることを特徴とする請求項１に記載の遊技機。